【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
情報検出手段と、該情報検出手段から得られる情報に基づいて表示用データを作成すると共に該表示用データを表示器に表示する表示制御手段とを備え、該表示制御手段が複数の情報から構成されている表示用データを分割し、分割されたデータを一つずつ前記表示器に表示（以下、分割表示と呼ぶ）するように制御するものであることを特徴とする車両用表示装置。
【請求項２】
前記表示制御手段が、前記情報において予め設定された優先順位に基づいて分割表示を行なうように制御するものであることを特徴とする請求項１記載の車両用表示装置。
【請求項３】
前記表示制御手段が、分割された情報を時間の経過とともに順次表示していくように制御するものであることを特徴とする請求項１又は請求項２記載の車両用表示装置。
【請求項４】
分割された情報を順次分割表示していくように使用者が指示するための表示指示入力手段を備え、前記表示制御手段が、前記表示指示入力手段からの信号に基づいて順次分割表示を行なうように制御するものであることを特徴とする請求項１〜３のいずれかの項に記載の車両用表示装置。
【請求項５】
前記表示指示入力手段が、音声を認識して入力するものであることを特徴とする請求項４記載の車両用表示装置。
【請求項６】
前記表示制御手段が、表示すべき分割された情報が残っているか否かを前記表示器にマークで表示するように制御するものであることを特徴とする請求項１〜５のいずれかの項に記載の車両用表示装置。
【請求項７】
前記表示制御手段が、表示すべき分割された情報が残っている数を前記表示器にマークで表示するように制御するものであることを特徴とする請求項１〜５のいずれかの項に記載の車両用表示装置。
【請求項８】
分割表示を行なう場合、複数の情報から構成されている一つの表示用データのうち、表示されている情報以外の情報を音声で案内する音声案内手段を備えていることを特徴とする請求項１〜７のいずれかの項に記載の車両用表示装置。
【請求項９】
分割表示を行なう場合、既に表示された情報を再表示するように使用者が指示するための再表示指示入力手段を備え、前記表示制御手段が、前記再表示指示入力手段からの信号に基づいて再表示するように制御するものであることを特徴とする請求項１〜８のいずれかの項に記載の車両用表示装置。
【請求項１０】
情報検出手段と、該情報検出手段からの情報に基づいて表示用データを作成すると共に該表示用データを表示器に表示する表示制御手段と、前記表示器の表示が更新されると更新ありを使用者に知らせるために更新音を発生する更新音発生手段とを備えていることを特徴とする車両用表示装置。
【請求項１１】
情報検出手段と、該情報検出手段からの情報に基づいて表示用データを作成すると共に該表示用データを表示器に表示する表示制御手段とを備え、該表示制御手段が前記表示器の表示を更新し、所定時間経過すると前記表示を消去するように制御するものであることを特徴とする請求項１０記載の車両用表示装置。
【請求項１２】
車両の状況を検出する車両状況検出手段と、前記状況に基づいて前記所定時間を変更する時間変更手段とを備えていることを特徴とする請求項１１記載の車両用表示装置。
【請求項１３】
情報検出手段と、該情報検出手段からの情報に基づいて表示用データを作成すると共に該表示用データを表示器に表示する表示制御手段と、車両の状況を検出する車両状況検出手段とを備え、前記表示制御手段が前記表示器の表示を更新し、所定時間経過すると前記表示を消去するように制御するものであると共に、前記所定時間を前記状況に基づいて変更する時間変更手段を備えていることを特徴とする車両用表示装置。
【請求項１４】
消去された表示を再表示するように使用者が指示入力するための再表示指示入力手段を備え、前記表示制御手段が前記再表示の指示があると、消去した表示を再表示するように制御するものであることを特徴とする請求項１１〜１３のいずれかの項に記載の車両用表示装置。
【請求項１５】
自車位置を検出する自車位置検出手段及び誘導すべき経路を検出する経路検出手段を含んで構成された情報検出手段と、該情報検出手段からの情報に基づいて右左折地点を案内するための表示用データを作成すると共に該表示用データを表示器に表示する表示制御手段とを備え、該表示制御手段が右左折地点を案内するための情報の一つとして前記右左折地点到達までに存在する交差点の個数を用いることを特徴とする車両用表示装置。
【請求項１６】
自車位置を検出する自車位置検出手段及び誘導すべき経路を検出する経路検出手段を含んで構成された情報検出手段と、該情報検出手段からの情報に基づいて右左折地点を案内するための表示用データを作成すると共に該表示用データを表示器に表示する表示制御手段とを備え、該表示制御手段が右左折地点を案内するための情報の一つとして前記右左折地点到達までに存在する信号機の台数を用いることを特徴とする車両用表示装置。
【請求項１７】
前記表示制御手段が、前記右左折地点到達までに存在する交差点の個数の変化に応じて、前記表示用データを作成すると共に該表示用データを前記表示器に表示するように制御するものであることを特徴とする請求項１５記載の車両用表示装置。
【請求項１８】
前記表示制御手段が、前記右左折地点到達までに存在する信号機の台数の変化に応じて、前記表示用データを作成すると共に該表示用データを前記表示器に表示するように制御するものであることを特徴とする請求項１６記載の車両用表示装置。
【請求項１９】
前記表示制御手段が、前記変化に応じて、前記表示器への表示を更新する場合、更新前に表示していた色と更新後に表示する色とが異なるように制御するものであることを特徴とする請求項１７又は請求項１８記載の車両用表示装置。
【請求項２０】
前記表示制御手段が、表示形態の一つとして点滅表示を採用すると共に、前記変化に応じて、前記表示器への表示を更新する場合、更新前と更新後との点滅方法に変化をもたらすように制御するものであることを特徴とする請求項１７又は請求項１８記載の車両用表示装置。
【請求項２１】
自車位置を検出する自車位置検出手段及び誘導すべき経路を検出する経路検出手段を含んで構成された情報検出手段と、該情報検出手段からの情報に基づいて右左折地点の案内をするための表示用データを作成すると共に該表示用データを表示器に表示する表示制御手段とを備え、該表示制御手段が前記右左折地点到達までの距離が所定距離以下になると、前記表示を点滅表示するように制御するものであることを特徴とする車両用表示装置。
【請求項２２】
自車位置を検出する自車位置検出手段及び誘導すべき経路を検出する経路検出手段を含んで構成された情報検出手段と、該情報検出手段からの情報に基づいて右左折地点の案内をするための表示用データを作成すると共に該表示用データを表示器に表示する表示制御手段とを備え、該表示制御手段が前記右左折地点到達までの距離が所定距離以下になると、前記表示を消去するように制御するものであることを特徴とする車両用表示装置。
【請求項２３】
情報検出手段と、該情報検出手段からの情報に基づいて表示用データを作成すると共に該表示用データを表示器に表示する表示制御手段とを備え、該表示制御手段が、表示される内容が重要である場合、表示のネガ・ポジを反転させて表示するように制御するものであることを特徴とする車両用表示装置。
【請求項２４】
前記表示制御手段が、表示される内容が重要である場合、表示のネガ・ポジを反転させて表示するように制御するものであることを特徴とする請求項１〜２２のいずれかの項に記載の車両用表示装置。
【請求項２５】
情報検出手段と、該情報検出手段からの情報に基づいて表示用データを作成すると共に該表示用データを表示器に表示する表示制御手段とを備え、該表示制御手段が、表示される内容が重要である場合、表示枠を表示するように制御するものであることを特徴とする車両用表示装置。
【請求項２６】
前記表示制御手段が、表示される内容が重要である場合、表示枠を表示するように制御するものであることを特徴とする請求項１〜２２のいずれかの項に記載の車両用表示装置。
【請求項２７】
前記表示制御手段が、内容の重要度に応じて、前記表示枠の色に変化をもたらすように制御するものであることを特徴とする請求項２５又は請求項２６記載の車両用表示装置。
【手続補正２】
【補正対象書類名】明細書
【補正対象項目名】０００６
【補正方法】変更
【補正の内容】
【０００６】
【課題を解決するための手段及びその効果】
上記目的を達成するために本発明に係る車両用表示装置（１）は、情報検出手
段と、該情報検出手段から得られる情報に基づいて表示用データを作成すると共
に該表示用データを表示器に表示する表示制御手段とを備え、該表示制御手段が
複数の情報から構成されている表示用データを分割し、分割されたデータを一つ
ずつ前記表示器に表示するように制御するものであることを特徴としている。
【手続補正３】
【補正対象書類名】明細書
【補正対象項目名】０００７
【補正方法】変更
【補正の内容】
【０００７】
上記車両用表示装置（１）によれば、複数の情報から構成されている表示用デ
ータを分割し、分割されたデータを一つずつ前記表示器に表示するので、情報一
つあたりを最大で前記表示器の表示容量いっぱいにまで大きく拡大して表示する
ことができ、視認性を大幅に高めることができる。
【手続補正４】
【補正対象書類名】明細書
【補正対象項目名】００２６
【補正方法】変更
【補正の内容】
【００２６】
また、本発明に係る車両用表示装置（１０）は、情報検出手段と、該情報検出
手段からの情報に基づいて表示用データを作成すると共に該表示用データを表示
器に表示する表示制御手段と、前記表示器の表示が更新されると更新ありを使用
者に知らせるために更新音を発生する更新音発生手段とを備えていることを特徴
としている。
【手続補正５】
【補正対象書類名】明細書
【補正対象項目名】００２８
【補正方法】変更
【補正の内容】
【００２８】
また、本発明に係る車両用表示装置（１１）は、上記車両用表示装置（１０）
において、情報検出手段と、該情報検出手段からの情報に基づいて表示用データ
を作成すると共に該表示用データを表示器に表示する表示制御手段とを備え、該
表示制御手段が前記表示器の表示を更新し、所定時間経過すると前記表示を消去
するように制御するものであることを特徴としている。
【手続補正６】
【補正対象書類名】明細書
【補正対象項目名】００３３
【補正方法】変更
【補正の内容】
【００３３】
また、本発明に係る車両用表示装置（１３）は、情報検出手段と、該情報検出
手段からの情報に基づいて表示用データを作成すると共に該表示用データを表示
器に表示する表示制御手段と、車両の状況を検出する車両状況検出手段とを備え
、前記表示制御手段が前記表示器の表示を更新し、所定時間経過すると前記表示
を消去するように制御するものであると共に、前記所定時間を前記状況に基づい
て変更する時間変更手段を備えていることを特徴としている。
【手続補正７】
【補正対象書類名】明細書
【補正対象項目名】００３８
【補正方法】変更
【補正の内容】
【００３８】
また、本発明に係る車両用表示装置（１５）は、自車位置を検出する自車位置
検出手段及び誘導すべき経路を検出する経路検出手段を含んで構成された情報検
出手段と、該情報検出手段からの情報に基づいて右左折地点を案内するための表
示用データを作成すると共に該表示用データを表示器に表示する表示制御手段と
を備え、該表示制御手段が右左折地点を案内するための情報の一つとして前記右
左折地点到達までに存在する交差点の個数を用いることを特徴としている。
【手続補正８】
【補正対象書類名】明細書
【補正対象項目名】００４０
【補正方法】変更
【補正の内容】
【００４０】
また、本発明に係る車両用表示装置（１６）は、自車位置を検出する自車位置
検出手段及び誘導すべき経路を検出する経路検出手段を含んで構成された情報検
出手段と、該情報検出手段からの情報に基づいて右左折地点を案内するための表
示用データを作成すると共に該表示用データを表示器に表示する表示制御手段と
を備え、該表示制御手段が右左折地点を案内するための情報の一つとして前記右
左折地点到達までに存在する信号機の台数を用いることを特徴としている。
【手続補正９】
【補正対象書類名】明細書
【補正対象項目名】００５０
【補正方法】変更
【補正の内容】
【００５０】
また、本発明に係る車両用表示装置（２１）は、自車位置を検出する自車位置
検出手段及び誘導すべき経路を検出する経路検出手段を含んで構成された情報検
出手段と、該情報検出手段からの情報に基づいて右左折地点の案内をするための
表示用データを作成すると共に該表示用データを表示器に表示する表示制御手段
とを備え、該表示制御手段が前記右左折地点到達までの距離が所定距離以下にな
ると、前記表示を点滅表示するように制御するものであることを特徴としている
。
【手続補正１０】
【補正対象書類名】明細書
【補正対象項目名】００５２
【補正方法】変更
【補正の内容】
【００５２】
また、本発明に係る車両用表示装置（２２）は、自車位置を検出する自車位置
検出手段及び誘導すべき経路を検出する経路検出手段を含んで構成された情報検
出手段と、該情報検出手段からの情報に基づいて右左折地点の案内をするための
表示用データを作成すると共に該表示用データを表示器に表示する表示制御手段
とを備え、該表示制御手段が前記右左折地点到達までの距離が所定距離以下にな
ると、前記表示を消去するように制御するものであることを特徴としている。
【手続補正１１】
【補正対象書類名】明細書
【補正対象項目名】００５４
【補正方法】変更
【補正の内容】
【００５４】
また、本発明に係る車両用表示装置（２３）は、情報検出手段と、該情報検出
手段からの情報に基づいて表示用データを作成すると共に該表示用データを表示
器に表示する表示制御手段とを備え、該表示制御手段が、表示される内容が重要
である場合、表示のネガ・ポジを反転させて表示するように制御するものである
ことを特徴としている。
【手続補正１２】
【補正対象書類名】明細書
【補正対象項目名】００５６
【補正方法】変更
【補正の内容】
【００５６】
また、本発明に係る車両用表示装置（２４）は、上記車両用表示装置（１）〜
（２２）のいずれかにおいて、前記表示制御手段が、表示される内容が重要であ
る場合、表示のネガ・ポジを反転させて表示するように制御するものであること
を特徴としている。
【手続補正１３】
【補正対象書類名】明細書
【補正対象項目名】００５８
【補正方法】変更
【補正の内容】
【００５８】
また、本発明に係る車両用表示装置（２５）は、情報検出手段と、該情報検出
手段からの情報に基づいて表示用データを作成すると共に該表示用データを表示
器に表示する表示制御手段とを備え、該表示制御手段が、表示される内容が重要
である場合、表示枠を表示するように制御するものであることを特徴としている
。
【手続補正１４】
【補正対象書類名】明細書
【補正対象項目名】００６０
【補正方法】変更
【補正の内容】
【００６０】
また、本発明に係る車両用表示装置（２６）は、上記車両用表示装置（１）〜
（２２）のいずれかにおいて、前記表示制御手段が、表示される内容が重要であ
る場合、表示枠を表示するように制御するものであることを特徴としている。